(57)【特許請求の範囲】
【請求項１】
受信装置本体内に有しＡＭ帯を受信可能なチューナと、該チューナに接続ケーブルを介して接続されるＡＭループアンテナと、前記チューナと同じ受信装置本体の筐体内にあって輻射ノイズを発生するノイズ発生源とを備えた受信装置であって、
前記ノイズ発生源は、当該輻射ノイズの周波数の１桁台の倍数の高調波が、前記ＡＭチューナの受信周波数帯域の周波数に対応するような輻射ノイズを発生するものであり、
前記ＡＭループアンテナは、銅線を数ターン巻いたＡＭループアンテナ本体と、前記ＡＭチューナのアンテナ回路に結線する接続ケーブルからなり、
該接続ケーブルは、前記ＡＭループアンテナ本体が前記ノイズ発生源の輻射ノイズの影響を受けないように受信装置本体から所定の距離を保持可能な寸法であり、かつその表皮部が銅シールドされた２芯シールド線で構成し、
前記接続ケーブルの銅シールドは、前記ノイズ発生源の輻射ノイズを取り込んで受信装置本体に有するアース部に流出させるように構成したことを特徴とする受信装置
【請求項２】
ノイズ発生源は、受信装置全体の電源を供給するためのスイッチング電源であることを特徴とする請求項１記載の受信装置。
【請求項３】
前記ＡＭループアンテナは、その構成要素である２芯銅シールド線が内部で互いに寄り合わされ、かつその表皮の銅シールド部のＡＭループアンテナ本体側は開放され、ＡＭチューナアンテナ回路に接続される側は、ＡＭチューナ機器のシャーシアースに接続されるように構成したことを特徴とする請求項１記載の受信装置
【発明の詳細な説明】
【０００１】
【発明の属する技術分野】
本発明は、ＡＭ／ＦＭチューナやＡＭ／ＦＭチューナ回路とアンプを内蔵するＡＶレシーバ等のＡＭチューナを有しＡＭループアンテナによる受信が可能な受信装置に関するものである。
【０００２】
【従来の技術】
近年、電気製品の内部電子回路は高性能化に伴いデジタル化が進み、様々のクロック周波数を含む様になった。その中で、数１０ｋＨｚから数１００ｋＨｚの周波数は、ＡＭ受信回路を内蔵する機器にとっては、その数倍の高調波がＡＭ受信帯域に重畳し障害を起こす為、ＡＭ受信回路を有する機器でのスイッチング電源やアンプ回路のデジタル化のためには、所定の対策が必要であった。
【０００３】
以下図面を参照しながら、従来のＡＭループアンテナ装置を有するＡＭ受信装置の一例を示す図２に基づいて説明する。図２において、ＡＭループアンテナ１１を有する受信装置として、ＡＭループアンテナ１１を接続ケーブル１２を介して接続したＡＭチューナ１３を内蔵するＡＶレシーバ本体１４の内部に、受信妨害をおこす輻射ノイズの発生源となる例えばスイッチング電源回路１５が存在する場合、通常はＡＭループアンテナ１１本体を幾らＡＶレシーバ本体１４より離しても、そのスイッチング電源回路１５が発生する妨害周波数の高調波が接続ケーブル１２に輻射されてＡＭアンテナ回路に重畳されて混入し、受信妨害を引き起こす。このため、スイッチング電源回路１５をシールド手段１６により遮蔽して、その輻射ノイズによるアンテナ回路への影響を防止するようにしている。
【０００４】
【発明が解決しようとする課題】
このように、従来のＡＭループアンテナとスイッチング電源等の妨害波を含む電子回路を共存させる場合は、その妨害源を強固にシールドする必要があるために、構造上の制約やコストアップになるという問題点を有していた。
【０００５】
本発明は、上記従来例の問題点を改善する為のもので、スイッチング電源等の妨害源を高価な板金で周囲をシールドする事無く、構造上の制約を受けることなく構成するため、ＡＭループアンテナ本体と妨害源を距離的に離すことにより、ＡＭループアンテナを用いたＡＭ受信回路を有する受信装置にスイッチング電源等のデジタル化を安価に取り込むことを目的としてなされたものである。
【０００６】
【課題を解決するための手段】
上記目的を達成するために本発明のＡＭループアンテナ装置は、受信装置本体内に有しＡＭ帯を受信可能なチューナと、該チューナに接続ケーブルを介して接続されるＡＭループアンテナと、前記チューナと同じ受信装置本体の筐体内にあって輻射ノイズを発生するノイズ発生源とを備えた受信装置であって、前記ノイズ発生源は、当該輻射ノイズの周波数の１桁台の倍数の高調波が、前記ＡＭチューナの受信周波数帯域の周波数に対応するような輻射ノイズを発生するものであり、前記ＡＭループアンテナは、銅線を数ターン巻いたＡＭループアンテナ本体と、前記ＡＭチューナのアンテナ回路に結線する接続ケーブルからなり、該接続ケーブルは、前記ＡＭループアンテナ本体が前記ノイズ発生源の輻射ノイズの影響を受けないように受信装置本体から所定の距離を保持可能な寸法であり、かつその表皮部が銅シールドされた２芯シールド線で構成し、前記接続ケーブルの銅シールドは、前記ノイズ発生源の輻射ノイズを取り込んで受信装置本体に有するアース部に流出させるように構成したものである。
【０００７】
上記した構成によって、接続ケーブルの銅シールド接続部を受信装置本体のシャーシアースに接続しておけば、受信装置の内部にあるノイズ発生源から輻射ノイズが発生した場合、ＡＭループアンテナ本体を充分に受信装置から離しておく事により、通常は問題となる接続ケーブルに輻射された妨輻射ノイズはその表皮の銅シールドを通して受信装置のシャーシアースに落ちる為、ＡＭチューナ回路の受信に影響を与えないこととなる。
【０００８】
また、請求項２記載の発明は、ノイズ発生源は、受信装置全体の電源を供給するためのスイッチング電源としたものであり、電源回路の小型化が可能であり、かつシールド構造をなくすことでその小型化をより生かすことができることとなる。
【０００９】
また、請求項３記載の発明は、前記ＡＭループアンテナは、その構成要素である２芯銅シールド線が内部で互いに寄り合わされ、かつその表皮の銅シールド部のＡＭループアンテナ本体側は開放され、ＡＭチューナアンテナ回路に接続される側は、ＡＭチューナ機器のシャーシアースに接続されるように構成したものであり、ノイズ発生源の特定の周波数帯以外に２芯で取り出される信号にそれぞれ重畳されるノイズをうち消しあって抑止することができることとなる。
【００１０】
【発明の実施の形態】
以下本発明のＡＭループアンテナを有する受信装置の実施形態について、図１を参照しながら詳細に説明する。
【００１１】
図１において、１は銅線を数ターン巻いたＡＭループアンテナ本体、２は２芯寄り合わせシールド線からなる接続ケーブル、３は接続ケーブル２の表皮を覆う銅シールドであり、４はＡＭチューナ５とノイズ発生源６を有する受信機本体である。ＡＭループアンテナ本体１に接続された接続ケーブル２は、受信機本体４のＡＭチューナ５のアンテナ回路に接続されている。アンテナの構成要素である銅シールド３は、ＡＭループアンテナ本体側３ａは開放で、受信機器接続側３ｂがシャーシ接続部７を介して受信機本体４に有するシャーシアース８に接続されている。
【００１２】
ここで、ＡＭループアンテナは、ＡＭループアンテナ本体１と、接続ケーブル２と、銅シールド３からなり、ＡＭループアンテナ本体１を受信機本体４から充分距離を離して配置可能とし、その距離はＡＭループアンテナ本体１が前記ノイズ発生源６の輻射ノイズの影響を受けないように受信装置本体から所定の距離を保持可能な寸法としている。すなわち、ノイズ発生源６から輻射された高調波のノイズは、ＡＭループアンテナ本体１や接続ケーブル２に飛び込んで、ＡＭチューナ５のアンテナ回路より受信信号に受信妨害を与えようとするが、輻射ノイズは一般的に距離の２乗に反比例する為、ＡＭループアンテナ本体１を受信機本体４離して配置することにより影響を受けない。また、受信機本体４のＡＭチューナ５のアンテナ回路との接続部を持つ接続ケーブル２は、表皮が銅シールド３でシールドされている為、取り込まれた輻射ノイズは表皮の銅シールド３を介して接続部７と接続された受信機本体４の内部に有するシャーシアース８に落ちる事により、ＡＭチューナ５の受信に影響を与えない事となる。
【００１３】
また、前述のノイズ発生源６は、当該輻射ノイズの周波数の１桁台の倍数の高調波が、前記ＡＭチューナの受信周波数帯域の周波数（５２２ＫＨｚ〜１６２９ＫＨｚ）に対応するような輻射ノイズを発生するものであり、より具体的には、受信装置全体の電源を供給するためのスイッチング電源で、そのパワーの変動により、例えば発生ノイズの周波数が「４０ＫＨｚ〜２００ＫＨｚ」であり、その発生周波数の特に影響が大きい１桁台の高調波（例えば３〜９倍）がＡＭ周波数帯域「５２２ＫＨｚ〜１６２９ＫＨｚ」の範囲に入り、妨害ノイズとなる。このようなノイズ発生源６としてのスイッチング電源であるが、このスイッチング電源の輻射ノイズの発生を確実に防止するためには、このブロックを金属板よりなるシールド装置により完全に覆ってしまう必要があるが、受信機本体４の全体を薄型化しようとする目的に反してしまうこととなる。
【００１４】
本実施態様の例では、受信装置全体として、受信機本体４の薄型化を指向しながら、当該本体４の筐体内にあって輻射ノイズを発生するノイズ発生源６を有するものにあって、そのノイズ発生源６をシールドすることなく、その輻射ノイズをＡＭループアンテナを介してＡＭチューナ５に取り込むことがないようにしたものである。すなわち、ＡＭループアンテナ本体との接続ケーブルを安価なシールドタイプに変更する事により、セット本体の妨害源を高価なシールドボックスで囲うなどの構造的な制約なく、ＡＭ受信回路を含むＡＶレシーバのデジタル化と装置全体の薄型化を図ることができる。
【００１５】
【発明の効果】
以上説明したように本発明の受信装置は、受信装置本体内に有しＡＭ帯を受信可能なチューナと、該チューナに接続ケーブルを介して接続されるＡＭループアンテナと、前記チューナと同じ受信装置本体の筐体内にあって輻射ノイズを発生するノイズ発生源とを備えた受信装置であって、前記ノイズ発生源は、当該輻射ノイズの周波数の１桁台の倍数の高調波が、前記ＡＭチューナの受信周波数帯域の周波数に対応するような輻射ノイズを発生するものであり、前記ＡＭループアンテナは、銅線を数ターン巻いたＡＭループアンテナ本体と、前記ＡＭチューナのアンテナ回路に結線する接続ケーブルからなり、該接続ケーブルは、前記ＡＭループアンテナ本体が前記ノイズ発生源の輻射ノイズの影響を受けないように受信装置本体から所定の距離を保持可能な寸法であり、かつその表皮部が銅シールドされた２芯シールド線で構成し、前記接続ケーブルの銅シールドは、前記ノイズ発生源の輻射ノイズを取り込んで受信装置本体に有するアース部に流出させるように構成したものであり、接続ケーブルの銅シールド接続部を受信装置本体のシャーシアースに接続しておけば、受信装置の内部にあるノイズ発生源から輻射ノイズが発生した場合、ＡＭループアンテナ本体を充分に受信装置から離しておく事により、通常は問題となる接続ケーブルに輻射された妨輻射ノイズはその表皮の銅シールドを通して受信装置のシャーシアースに落ちる為、ＡＭチューナ回路の受信に影響を与えないこととなり、従来必要であった受信装置本体でのノイズ発生源のシールド等を行うことなく、構成を最小限として薄型化にし、効率的に安価にＡＭ受信回路とノイズ発生源としてのデジタル電子回路を共存させることができる受信装置を提供できるものである。
【図面の簡単な説明】
【図１】本発明の一実施形態の受信装置のブロック図
【図２】従来例の受信装置のブロック図
【符号の説明】
１  ＡＭループアンテナ本体
２  接続ケーブル
３  銅シールド
４  受信機本体
５  ＡＭチューナ
６  ノイズ発生源
７  銅シールド接続部
８  シャーシアース
【図１】
0003941490.tif 000002
【図２】
0003941490.tif 000003